【事件の表示】
　特許第２９８９０１２号「塩素スカベンジャーを含有した布帛柔軟化組成物」の請求項１ないし５、８、１０に係る特許に対する特許異議の申立てについて、次のとおり決定する。
【結　論】
　訂正を認める。
　特許第２９８９０１２号の請求項１ないし５、８、１０に係る特許を維持する。
【理　由】
Ａ．手続きの経緯
　本件特許第２９８９０１２号に係る発明は、平成７年８月８日に特許出願され（優先権主張 １９９４年１０月７日 米国；国際出願番号PCT／US95／10129）、平成１１年１０月８日にその特許の設定登録がなされたが、その後、花王株式会社より特許異議の申立てがなされ、平成１２年１０月１７日付けで取消理由通知がなされ、その指定期間内（期間延長有り）である平成１３年５月１日に訂正請求がなされたものである。
　
Ｂ．訂正の適否についての判断 
１、訂正の目的及び内容
（１）特許請求の範囲の減縮を目的として、特許請求の範囲の請求項１におけるII．（Ｂ）項中の記載「塩素スカベンジャー」を、「水溶性塩素スカベンジャー」と訂正する。
（２）特許請求の範囲の減縮を目的として、特許請求の範囲の請求項８における（Ｂ）１項中の記載「好ましくは一級アミン、二級アミン、アルカノールアミン、ジアルカノールアミン及びそれらの混合物からなる群より選択されるアミン」を、「モノエタノールアミン、ジエタノールアミン、トリス（ヒドロキシメチル）アミノメタン、ヘキサメチレンテトラミン、及びそれらの混合物からなる群より選択されるアミン」と訂正する。
（３）特許請求の範囲の減縮を目的として、特許請求の範囲の請求項８におけるII．（Ｂ）項中の記載「塩素スカベンジャー」を、「水溶性塩素スカベンジャー」と訂正する。
（４）特許請求の範囲の減縮を目的として、特許請求の範囲の請求項１０における（Ｂ）項中の記載「塩素スカベンジャー」を、「水溶性塩素スカベンジャー」と訂正する。
２、訂正の目的の適否及び拡張・変更の存否
　上記（１）（３）及び（４）の訂正は、訂正前の上記特許請求の範囲における「塩素スカベンジャー」対して、さらに「水溶性」という要件を付加するものであるから、特許請求の範囲の減縮を目的とするものである。
　そして、訂正前の本件特許明細書には、「好ましい塩素スカベンジャーは水溶性（中略）である。」と記載（明細書第１１頁４〜６行）されているから、当該訂正は願書に添付した明細書に記載した事項の範囲内のものであり、実質的に特許請求の範囲を拡張又は変更するものではない。
　上記（２）の訂正は、訂正前の上記特許請求の範囲における「好ましくは一級アミン、二級アミン、アルカノールアミン、ジアルカノールアミン及びそれらの混合物からなる群より選択されるアミン」を、下位概念の化合物及びそれらの混合物に限定するものであるから、特許請求の範囲の減縮を目的とするものである。
　そして、訂正前の本件特許明細書には、「好ましい塩素スカベンジャーは（中略）例えばモノエタノールアミン、ジエタノールアミン、トリス（ヒドロキシメチル）アミノメタン、ヘキサメチレンテトラミンである。」と記載（明細書第１１頁４〜６行）されているから、当該訂正は願書に添付した明細書に記載した事項の範囲内のものであり、実質的に特許請求の範囲を拡張又は変更するものではない。
３、むすび
　以上のとおりであるから、上記訂正は、特許法第１２０条の４第２項及び第３項において準用する特許法第１２６条第２項から第４項までの規定に適合するので、当該訂正を認める。
　
Ｃ．特許異議の申立についての判断
１、特許異議申立の理由の概要
　特許異議申立人 花王株式会社（以下、「申立人」という）は、甲第１、２号証を提出し、訂正前の本件請求項１〜５、８及び１０に係る発明は、甲第１号証記載の発明と同一であるか、或いは甲第１号証記載の発明に基づいて当業者が容易に発明をすることができたものであるから（主張１）、また、訂正前の本件請求項１〜５及び８に係る発明は、甲第２号証記載の先願発明と同一であるから（主張２）、本件請求項１〜５、８及び１０に係る特許は取り消されるべきである旨の主張をしている。
２、主張１に対して
（１）本件発明
　特許異議申立に係る本件発明は、訂正された明細書の特許請求の範囲の請求項１〜５、８及び１０に記載された次のとおりのものと認める。
【請求項１】Ｉ.（Ａ）組成物の５０〜９５重量％の生分解性カチオン系四級アンモニウム布帛柔軟化化合物；（Ｂ）１．好ましくは一級アミン、二級アミン、アルカノールアミン、ジアルカノールアミン及びそれらの混合物からなる群より選択されるアミン　２．塩化アンモニウム、臭化アンモニウム、クエン酸アンモニウム、硫酸アンモニウム及びそれらの混合物からなる群より選択されるアンモニウム塩　３．アミノ酸、但しリジン以外　４．ポリアミノ酸　５．ポリエチレンイミン、好ましくは２０００以下の分子量を有する、更に好ましくは２００〜１５００の分子量を有するポリエチレンイミン　６．ポリアミン、但しジ（高級アルキル）環式アミンでもそれらの縮合生成物でもない　７．ポリアミンアミド、好ましくは５０００以下の分子量を有するポリアミンアミド　８．ポリアクリルアミド、好ましくは５０００以下の分子量を有するポリアクリルアミド 及び ９．それらの混合物　からなる群より選択される、有効量、好ましくは組成物の０．０１〜１０重量％、更に好ましくは０．０２〜６％、最も好ましくは０．０３〜５％の塩素スカベンジャー；
（Ｃ）好ましくは単一長鎖アルキルカチオン系界面活性剤、脂肪酸コリンエステル、脂肪アミンアミド、ノニオン系界面活性剤及びそれらの混合物からなる群より選択される、組成物の０〜３０重量％の粘度、分散性又は双方の調整剤；及び
（Ｄ）組成物の０〜２０重量％のｐＨ調整剤（好ましくは上記ｐＨ調整剤はＢｒｏｎｓｔｅａｄ酸であり、更に好ましくは上記ｐＨ調整剤はクエン酸、グルコン酸、酒石酸、１，２，３，４‐ブタンテトラカルボン酸及びそれらの混合物からなる群より選択される）を含んでなる固形粒状組成物と、
II．（Ａ）組成物の０．５〜５０重量％の生分解性カチオン系四級アンモニウム布帛柔軟化化合物；
（Ｂ）１．好ましくは一級アミン、二級アミン、アルカノールアミン、ジアルカノールアミン及びそれらの混合物からなる群より選択されるアミン　２．塩化アンモニウム、臭化アンモニウム、クエン酸アンモニウム、硫酸アンモニウム及びそれらの混合物からなる群より選択されるアンモニウム塩　３．アミノ酸、但しリジン以外　４．ポリアミノ酸　５．ポリエチレンイミン、好ましくは２０００以下の分子量を有する、更に好ましくは２００〜１５００の分子量を有するポリエチレンイミン　６．ポリアミン、但しジ（高級アルキル）環式アミンでもそれらの縮合生成物でもない　７．ポリアミンアミド、好ましくは５０００以下の分子量を有するポリアミンアミド　８．ポリアクリルアミド、好ましくは５０００以下の分子量を有するポリアクリルアミド 及び ９．それらの混合物からなる群より選択される、有効量、好ましくは組成物の０．０１〜１０重量％、更に好ましくは０．０２〜６％、最も好ましくは０．０３〜５％の水溶性塩素スカベンジャー；
（Ｃ）好ましくは単一長鎖アルキルカチオン系界面活性剤、脂肪酸コリンエステル、脂肪アミンアミド、ノニオン系界面活性剤及びそれらの混合物からなる群より選択される、組成物の０〜３０重量％の粘度、分散性又は双方の調整剤；及び
（Ｄ）水、Ｃ１−Ｃ４一価アルコール、Ｃ２−Ｃ８多価アルコール、液体ポリアルキレングリコール，プロピレンカーボネート及びそれらの混合物からなる群より選択される液体キャリアからなる残部を含んでなる液体組成物（該液体組成物は２〜５のｐＨを有している）
からなる群より選択される、すすぎ液添加布帛柔軟化組成物。
【請求項２】生分解性カチオン系柔軟活性剤が下記一般式：
Ｅｐ＋〔Ｙ‐Ｒ２〕ｍｐＸ−（上記式中ｐは１又は２、好ましくは１である；ｍは２又は３、好ましくは２である；各Ｅは電荷ｐ＋の窒素四級アンモニウム基である；各Ｙは‐Ｏ‐（Ｏ）Ｃ‐又は‐Ｃ（Ｏ）‐Ｏ‐である；各Ｒ２はＣ１１‐Ｃ２２ヒド口カルビル又は置換ヒド口力ルビル置換基、好ましくはＣ１５‐Ｃ１７ヒドロカルビル又は置換ヒドロカルビル置換基である；及び各Ｘ−は柔軟剤適合性アニオン、好ましくはクロリド、ブロミド、メチル硫酸、エチル硫酸、ギ酸、硝酸及びそれらの混合からなる群より選択されるアニオンてある）を有している、請求項１に記載の組成物。
【請求項３】調整剤がエトキシル化脂肪酸、エトキシル化脂肪アルコール、エトキシ化脂肪アミン及びそれらの混合物からなる群より選択されるノニオン系界面活剤からなる群より選択される，請求項１に記載の組成物。
【請求項４】液体キャリアが水からなる、請求項１に記載の組成物。
【請求項５】液体キャリアが、水と、エタノール、プロパノール、イソプロパノール、びそれらの混合物からなる群より選択される低分子量アルコールとの混合液である、請求項１に記載の組成物。
【請求項８】（Ａ）組成物の０．０５〜５０重量％、好ましくは１５〜３２％の、下記一般式を有するカチオン系生分解性四級アンモニウム布帛柔軟化化合物：
Ｅｐ＋〔Ｙ‐Ｒ２〕ｍｐＸ−（上記式中ｐは１又は２、好ましくは１である；ｍは２又は３、好ましくは２である；各Ｅは電荷ｐ＋の窒素四級アンモニウム基である；各Ｙは‐Ｏ‐（Ｏ）Ｃ‐又は‐Ｃ（Ｏ）‐Ｏ‐である；各Ｒ２はＣ１１‐Ｃ２２ヒド口カルビル又は置換ヒドロカルビル置換基、好ましくはＣ１５‐Ｃ１７ヒドロカルビル又は置換ヒド口カルビル置換基である；及び各Ｘ−は、好ましくはクロリド、ブロミド、メチル硫酸、エチル硫酸、ギ酸、硝酸及びそれらの混合からなる群より選択される柔軟剤適合性アニオンである）；
（Ｂ）１．モノエタノールアミン、ジエタノールアミン、トリス（ヒドロキシメチル）アミノメタン、ヘキサメチレンテトラミン、及びそれらの混合物からなる群より選択されるアミン　２．塩化アンモニウム、臭化アンモニウム、クエン酸アンモニウム、硫酸アンモニウム及びそれらの混合物からなる群より選択されるアンモニウム塩　３．アミノ酸、但しリジン以外　４．ポリアミノ酸　５．ポリエチレンイミン　６．ポリアミン、但しジ（高級アルキル）環式アミンでもそれらの縮合生成物でもない　７．ポリアミンアミド　８．ポリアクリルアミド 及び ９．それらの混合物　からなる群より選択される、有効量の水溶性塩素スカベンジャー；
（Ｃ）組成物の０〜３０重量％の粘度、分散性又は双方の調整剤；及び（Ｄ）水、Ｃ１‐Ｃ４一価アルコール、Ｃ２‐Ｃ６多価アルコール、液体ポリアルキレングリコール、プロピレンカーボネート及びそれらの混合物からなる群より選択される液体キャリアからなる残部
を含んでなり、組成物のｐＨが２〜５である、すすぎ液添加液体布帛柔軟化組成物。
【請求項１０】（Ａ）組成物の３〜５０重量％の、下記一般式を有するカチオン系生分解性四級アンモニウム布帛柔軟化化合物：
　　　　Ｅｐ＋〔Ｙ‐Ｒ２〕ｍｐＸ−　
（上記式中Ｅは電荷ｐ＋の窒素四級アンモニウム基である；ｐは１である；Ｙは‐Ｏ‐（Ｏ）Ｃ‐又は‐Ｃ（Ｏ）‐Ｏ‐である；ｍは２である；Ｒ２はＣ１５‐Ｃ１７ヒド口カルビル又は置換ヒドロカルビル置換基である、；Ｘ−は、クロリド、ブロミド、メチル硫酸、エチル硫酸、ギ酸、硝酸及びそれらの混合からなる群より選択される柔軟剤適合性アニオンである）；
（Ｂ）組成物の０．００１〜１０重量％の、塩化アンモニウム、臭化アンモニウム、クエン酸アンモニウム、硫酸アンモニウム及びそれらの混合物からなる群から選択されるアンモニウム塩からなる水溶性塩素スカベンジャー；
（Ｃ）エトキシル化脂肪酸、エトキシル化脂肪アルコール、エトキシル化脂肪アミン及びそれらの混合物からなる群より選択されるノニオン系界面活性剤からなる群より選択される、組成物の０〜３０重量％の粘度、分散性又は双方の調整剤；及び
（Ｄ）水
を含んでなり、２〜５のｐＨを有している、液体すすぎ液添加布帛柔軟化組成物。
（以下、【請求項１】記載の発明を「本件訂正発明１」といい、【請求項２】記載の発明以下の発明を順次「本件訂正発明２」などという）
（２）申立人の提出した甲号証の記載事項
甲第１号証：特開平６−２２８８７７号公報
ａ．「下記（ａ），（ｂ）および（ｃ）成分を含有し、ｐＨが２．５〜５の範囲にあることを特徴とする液体柔軟剤組成物。
（ａ）化１（一般式I）で表されるジ長鎖第４級アンモニウム塩：３〜３０重量％
　　（中略）
（ｂ）炭素数が１０〜１８の脂肪酸のアルカノールアミン塩：０．３〜５重量％
（ｃ）アルキレンオキシド付加型ノニオン界面活性剤：０．１〜１０重量％」（特許請求の範囲第１項）
ｂ．「脂肪酸のアルカノールアミン塩は、本発明の柔軟剤組成物中に０．３〜５重量％、好ましくは０．５〜３重量％配合される。この配合量が０．３重量％未満であると、ｐＨ変化抑制効果が期待できない。」（段落【００２５】）
甲第２号証：特願平５−１８８８９０号の明細書（特開平７−１８５７７号公報）
ｃ．「（Ａ）下記化１の一般式（I）で表される第４級アンモニウム塩：３〜３０重量％
（Ｂ）下記化２の一般式（II）で表されるモノ長鎖アルキルアミン又はその中和物及び化３に一般式（III）で表されるモノアルキルアミンエトキシレートから選ばれる１種ないしは２種以上：０．１〜３重量％
（Ｃ）炭素数１０〜２０のアルコール、アミン又は脂肪酸にエチレンオキシド２０〜１００モル付加したエトキシレート：０．０１〜１０重量％を含有することを特徴とする液体柔軟剤組成物。
（中略）
【化２】
　
　　　Ｒ８　　　　  ｜
　　　Ｎ−Ｒ７　  　　　（II）
　　　｜
　　　Ｒ９　（Ｒ７：炭素数１１〜２３のアルキル基またはアルケニル基　Ｒ８，Ｒ９：−ＣＨ３基又は−Ｈ基）
（後略）」（特許請求の範囲）
ｄ．「（Ｂ）成分は、本発明の柔軟剤組成物中に０．１〜３．０重量％、好ましくは０．３〜１．５重量％配合される。この配合量が０．１重量％未満では、低温保存時の安定化効果が不十分であり」（段落【００１８】）
（３）対比・判断
ａ．主張１に関して
（本件訂正発明１に対して）
　本件訂正発明１における液体組成物（II）に係る発明（前者）と上記甲１号証記載の発明（後者）とを対比すると、両者は共に布帛に適用する液体柔軟剤組成物である点で軌を一にするものであるが、前者は、（Ｂ）成分として特に「１．好ましくは一級アミン、二級アミン、アルカノールアミン、ジアルカノールアミン及びそれらの混合物からなる群より選択されるアミン　２．塩化アンモニウム、臭化アンモニウム、クエン酸アンモニウム、硫酸アンモニウム及びそれらの混合物からなる群より選択されるアンモニウム塩　３．アミノ酸、但しリジン以外　４．ポリアミノ酸　５．ポリエチレンイミン、好ましくは２０００以下の分子量を有する、更に好ましくは２００〜１５００の分子量を有するポリエチレンイミン　６．ポリアミン、但しジ（高級アルキル）環式アミンでもそれらの縮合生成物でもない　７．ポリアミンアミド、好ましくは５０００以下の分子量を有するポリアミンアミド　８．ポリアクリルアミド、好ましくは５０００以下の分子量を有するポリアクリルアミド 及び ９．それらの混合物からなる群より選択される水溶性塩素スカベンジャー」を含むことを発明の要件（以下、この要件を「本件水溶性塩素スカベンジャー要件」という）の一つとするものであるが、後者においては当該要件についてはなんら記載されておらず示唆する記載もない点で相違している。
　この相違点に関して、申立人は、「甲第１号証には（ｂ）成分として、炭素数が１０〜１８の脂肪酸のアルカノールアミン塩、具体的には、ステアリン酸ジエタノールアミンなど、すなわち、二級アミンが用いられていることが記載されている」旨の主張（申立書第１１頁末行〜第１２頁４行）をしている。
　しかしながら、甲第１号証に記載されているステアリン酸ジエタノールアミンなどの炭素数が１０〜１８の脂肪酸のアルカノールアミン塩は、広義には二級アミン化合物であるといえるけれども、分子内に１０〜１８の脂肪酸残基を持つことから水溶性の化合物であるとは認められず、甲第１号証に記載されているステアリン酸ジエタノールアミンなどの炭素数が１０〜１８の脂肪酸のアルカノールアミン塩は前者における「水溶性アミン」と異なる化合物であると認められる。
　しかも、後者において「炭素数が１０〜１８の脂肪酸のアルカノールアミン塩」を配合する目的は「液体柔軟剤組成物に対するｐＨ変化抑制効果」（上記ｂの記載参照）であって、甲第１号証には、前者における塩素スカベンジャーという作用効果についてなんら記載されていない。
　したがって、両者が同一の発明であるはいえないし、また、前者が後者から当業者が容易に発明をすることができたものであるともいえない。
（本件訂正発明２〜５に対して）
　本件訂正発明２〜５は、本件訂正発明１の液体柔軟剤組成物の成分をそれぞれ下位概念の化合物に限定した発明であるから、上記ａの（本件訂正発明１に対して）において記載した理由と同様の理由により、本件訂正発明２〜５が甲第１号証記載の発明と同一の発明であるはいえないし、また、本件訂正発明２〜５が甲第１号証記載の発明から当業者が容易に発明をすることができたものであるともいえない。
（本件訂正発明８に対して）
　本件訂正発明８は、本件訂正発明１の液体柔軟剤組成物の成分（Ｂ）１のアミンをを下位概念の化合物及びそれらの混合物に限定した発明であるから、上記ａの（本件訂正発明１に対して）において記載した理由と同様の理由により、本件訂正発明８が甲第１号証記載の発明と同一の発明であるはいえないし、また、本件訂正発明８が甲第１号証記載の発明から当業者が容易に発明をすることができたものであるともいえない。
（本件訂正発明１０に対して）
　本件訂正発明１０は、本件訂正発明１の液体柔軟剤組成物の組成を下位概念のものに限定した発明であるから、上記ａの（本件訂正発明１に対して）において記載した理由と同様の理由により、本件訂正発明１０が甲第１号証記載の発明と同一の発明であるはいえないし、また、本件訂正発明１０が甲第１号証記載の発明から当業者が容易に発明をすることができたものであるともいえない。
ｂ．主張２に関して
（本件訂正発明１に対して）
　本件訂正発明１における液体組成物（II）に係る発明（前者）と上記甲２号証記載の発明（先願明細書記載の発明）とを対比すると、両者は共に布帛に適用する液体柔軟剤組成物である点で軌を一にするものであるが、前者の組成物は、特に上記「本件水溶性塩素スカベンジャー要件」を具備するものであるのに対して、後者においては当該要件についてはなんら記載されていない点で相違している。
　この相違点に関して、申立人は、「甲第２号証には（Ｂ）成分として、一級アミン、二級アミンなど前者と同一のアミンを用いることが記載されている」旨の主張（申立書第１８頁末行〜第１９頁２行）をしている。
　しかしながら、甲第２号証に記載されている（Ｂ）成分のモノ長鎖アルキルアミンは、分子内に少なくとも炭素数１１のアルキル基またはアルケニル基を持つことから（上記ｃの記載参照）水溶性の化合物であるとはいえず、甲第２号証に記載されているモノ長鎖アルキルアミンと前者における「水溶性のアミン」とは異なる化合物であると認められる。
　しかも、後者においてこの化合物を配合する目的は、「液体柔軟剤組成物の低温保存時の安定化」（上記ｄの記載参照）であって、甲第２号証には前者における塩素スカベンジャーという作用効果についてなんら記載されていない。
　したがって、前者が先願明細書に記載された発明であるとはいえない。
（本件訂正発明２〜５に対して）
　本件訂正発明２〜５は、本件訂正発明１の液体柔軟剤組成物の成分をそれぞれ下位概念の化合物に限定した発明であるから、上記ｂの（本件訂正発明１に対して）において記載した理由と同様の理由により、本件訂正発明２〜５が先願明細書に記載された発明であるとはいえない。
（本件訂正発明８に対して）
　本件訂正発明８は、本件訂正発明１の液体柔軟剤組成物の成分（Ｂ）１のアミンを下位概念の化合物及びそれらの混合物に限定した発明であるから、上記ｂの（本件訂正発明１に対して）において記載した理由と同様の理由により、本件訂正発明８が先願明細書に記載された発明であるとはいえない。
４、むすび
　以上のとおりであるから、特許異議申立の理由及び証拠によっては、本件請求項１ないし５、８、１０に係る特許を取り消すことはできない。
　また、他に本件請求項１ないし５、８、１０に係る特許を取り消すべき理由を発見しない。
　よって、結論のとおり決定する。
【異議決定日】
平成１３年６月１４日（２００１．６．１４）
【訂正の要旨】
　特許第２９８９０１２号発明の明細書中、
１．特許請求の範囲の請求項１におけるＩＩ．（Ｂ）項中の記載「塩素スカベンジャー」を、「水溶性塩素スカベンジャー」と訂正する。
２．特許請求の範囲の請求項８における（Ｂ）１項中の記載「好ましくは一級アミン、二級アミン、アルカノールアミン、ジアルカノールアミン及びそれらの混合物からなる群より選択されるアミン」を、「モノエタノールアミン、ジエタノールアミン、トリス（ヒドロキシメチル）アミノメタン、ヘキサメチレンテトラミン、及びそれらの混合物からなる群より選択されるアミン」と訂正する。
３．特許請求の範囲の請求項８におけるＩＩ．（Ｂ）項中の記載「塩素スカベンジャー」を、「水溶性塩素スカベンジャー」と訂正する。
４．特許請求の範囲の請求項１０における（Ｂ）項中の記載「塩素スカベンジャー」を、「水溶性塩素スカベンジャー」と訂正する。
（５４）【発明の名称】
塩素スカベンジャーを含有した布帛柔軟化組成物
【発明の詳細な説明】
　
技術分野
　本発明は低レベルの塩素スカベンジャーを含有した液体及び固体布帛柔軟化組成物に関する。その組成物はすすぎ水中に存在する低レベルの塩素に影響されやすい布帛の色の色あせを最少に抑える。
　
発明の背景
　塩素は水をきれいにするために世界の多くの地域で用いられている。確かに水が安全であるようにするためには、わずかな残留量、典型的には約１〜２ｐｐｍの塩素が水中に残される。ＵＳ地域の少くとも約１０％では、ときどきそこの水道水中に約２ｐｐｍ以上の塩素を有している。水道水中にあるこの少量の塩素は、ある布帛染料の色あせを起こしうることがわかっている。布帛色あせを減少させるために塩素スカベンジャーを含有した洗濯洗剤組成物の使用は当業界で知られている。しかしながら、もっと少ない塩素スカベンジャーでも、すすぎ液添加布帛柔軟剤組成物中に配合されると、それより多量の塩素スカベンジャーを含有した洗剤組成物に匹敵する効果を発揮することが、ここに発見されたのである。典型的な洗浄液中には、残留塩素を除去して塩素感受性染料へのダメージを最少に抑えるために十分な汚れが布帛上に通常存在していると考えられる。しかしながら、すすぎサイクルだと汚れレベルは著しく減少して、一部の染料は何回もの洗濯サイクル後にあせることがある。このため、水道水に起因した経時的な布帛色あせは、洗浄水よりもすすぎ水中における残留塩素の存在の結果である。布帛上に留まった多量の塩素スカベンジャーがすすぎサイクルにとり十分な残留活性を発揮するように用いられないかぎり、これは洗浄サイクル後になくなる洗濯洗剤中の塩素スカベンジャーの存在が解決できていない問題である。本発明のすすぎ液添加柔軟剤組成物の二次的効果は、塩素ブリーチがしみとり又は衛生目的で洗浄液中に用いられたときに、洗濯布帛の塩素臭を消失又は減少させるそれらの能力である。もう１つの二次的効果は、最終布帛上に留まらない水溶性塩素スカベンジャーを用いる能力である。残存は蓄積と布帛の変色を起こすことがあり、したがって望ましくない。
　
発明の要旨
　本発明は：
Ｉ．（Ａ）組成物の約５０〜約９５重量％の生分解性カチオン系四級アンモニウム布帛柔軟化化合物；
　（Ｂ）１．アミン
　２．以下に特定の単純なアンモニウム塩
　３．アミノ酸、但しリジン以外
　４．ポリアミノ酸
　５．ポリエチレンイミン
　６．ポリアミン、但しジ（高級アルキル）環式アミンでもそれらの縮合生成物でもない
　７．ポリアミンアミド
　８．ポリアクリルアミド及び
　９．それらの混合物
　からなる群より選択される、有効量の塩素スカベンジャー；
　（Ｃ）組成物の約０〜約３０重量％の粘度、分散性又は双方の調整剤；及び
　（Ｄ）組成物の約０〜約２０重量％のｐＨ調整剤
　を含んでなる固形粒状組成物と、
ＩＩ．（Ａ）組成物の約０．５〜約５０重量％の生分解性カチオン系四級アンモニウム布帛柔軟化化合物；
　（Ｂ）１．アミン
　２．以下に特定の単純なアンモニウム塩
　３．アミノ酸、但しリジン以外
　４．ポリアミノ酸
　５．ポリエチレンイミン
　６．ポリアミン、但しジ（高級アルキル）環式アミンでもそれらの縮合生成物でもない
　７．ポリアミンアミド
　８．ポリアクリルアミド及び
　９．それらの混合物
　からなる群より選択される、有効量の塩素スカベンジャー；
　（Ｃ）組成物の約０〜約３０重量％の粘度、分散性又は双方の調整剤；
　（Ｄ）水、Ｃ１‐Ｃ４一価アルコール、Ｃ２‐Ｃ８多価アルコール、液体ポリアルキレングリコール、プロピレンカーボネート及びそれらの混合物からなる群より選択される液体キャリアからなる残部
　を含んでなる液体組成物（該液体組成物は約２〜約５のｐＨを有している）からなる群より選択されるすすぎ液添加布帛柔軟化組成物（ｒｉｎｓｅ−ａｄｄｅｄ　ｆａｂｒｉｃ　ｓｏｆｔｅｉｎｇ　ｃｏｍｐｏｓｉｔｉｏｎ）に関する。
　
発明の具体的な説明
　本発明は：
Ｉ．（Ａ）組成物の約５０〜約９５重量％の生分解性カチオン系四級アンモニウム布帛柔軟化化合物；
　（Ｂ）１．アミン
　２．以下に特定の単純なアンモニウム塩
　３．アミノ酸、但しリジン以外
　４．ポリアミノ酸
　５．ポリエチレンイミン
　６．ポリアミン、但しジ（高級アルキル）環式アミンでもそれらの縮合生成物でもない
　７．ポリアミンアミド
　８．ポリアクリルアミド及び
　９．それらの混合物
　からなる群より選択される、有効量の塩素スカベンジャー；
　（Ｃ）組成物の約０〜約３０重量％の粘度、分散性又は双方の調整剤；及び
　（Ｄ）組成物の約０〜約２０重量％のｐＨ調整剤
　を含んでなる固形粒状組成物と、
ＩＩ．（Ａ）組成物の約０．５〜約５０重量％の生分解性カチオン系四級アンモニウム布帛柔軟化化合物；
　（Ｂ）１．アミン
　２．以下に特定の単純なアンモニウム塩
　３．アミノ酸、但しリジン以外
　４．ポリアミノ酸
　５．ポリエチレンイミン
　６．ポリアミン、但しジ（高級アルキル）環式アミンでもそれらの縮合生成物でもない
　７．ポリアミンアミド
　８．ポリアクリルアミド及び
　９．それらの混合物
　からなる群より選択される、有効量の塩素スカベンジャー；
　（Ｃ）組成物の約０〜約３０重量％の粘度、分散性又は双方の調整剤；
　（Ｄ）水、Ｃ１‐Ｃ４一価アルコール、Ｃ２‐Ｃ８多価アルコール、液体ポリアルキレングリコール、プロピレンカーボネート及びそれらの混合物からなる群より選択される液体キャリアからなる残部
　を含んでなる液体組成物（該液体組成物は約２〜約５のｐＨを有している）からなる群より選択されるすすぎ液添加布帛柔軟化組成物に関する。
　（Ａ）
生分解性カチオン系布帛柔軟活性剤
　好ましい布帛柔軟活性剤は、長い疎水基にエステル結合鎖を含んだ下記式を有する生分解性カチオン系エステル四級アンモニウム柔軟活性剤（ＥＱＡ）である：
　Ｅｐ＋〔Ｙ‐Ｒ２〕ｍｐＸ−
上記式中
ｐは１又は２である；
ｍは２又は３である；
各Ｅは電荷ｐ＋の窒素四級アンモニウム基である；
各Ｙは‐Ｏ‐（Ｏ）Ｃ‐又は‐Ｃ（Ｏ）‐Ｏ‐である；
　Ｒ２は同一又は異なるＣ１１−Ｃ２２ヒドロカルビル又は置換ヒドロカルビル置換基、好ましくはアルキル及び／又はアルケニルである；
　Ｘ−はクロリド、ブロミド、メチル硫酸、エチル硫酸、ギ酸、硝酸等のような柔軟剤適合性アニオンである。
　好ましくはＥは
（１）（Ｒ）４−ｍ、Ｎ＋〔（ＣＨ２）ｎ〕ｍ（ｍは２又は３である）
（２）（Ｒ）３Ｎ＋（ＣＨ２）ｎＣＨ−ＣＨ２及び
（３）それらの混合
からなる群より選択される；
　上記式中
　ｎは１〜４である；
各ＲはＣ１−Ｃ６アルキル又は置換アルキル基（例えばヒドロキシアルキル、ヒドロキシエチル、ヒドロキシプロピル）、好ましくはＣ１−Ｃ３アルキル基、例えばメチル（最も好ましい）、エチル、プロピル等、ベンジル基、水素及びそれらの混合である；及び
Ｒ２はＣ１１−Ｃ２２脂肪アシル基から誘導される。
　上記式（１）のＥを有した好ましいＥＱＡは下記式を有している：
　（Ｒ）４−ｍＮ＋〔（ＣＨ２）ｎ‐Ｙ‐Ｒ２〕ｍＸ−
上記式中：Ｙ＝‐Ｏ‐（Ｏ）Ｃ‐又は−Ｃ（Ｏ）‐Ｏ‐；ｍ＝２又は３；各ｎ＝１〜４；各Ｒ置換基は短鎖Ｃ１−Ｃ６、好ましくはＣ１−Ｃ３アルキル基、例えばメチル（最も好ましい）、エチル、プロピル等、Ｃ１−Ｃ３ヒドロキシアルキル基、ベンジル又はそれらの混合である；各Ｒ２は長鎖で、好ましくは少くとも部分的に不飽和、例えば約５以上で約１００以下のヨウ素価（ＩＶ）のＣ１１−Ｃ２２ヒドロカルビル又は置換ヒドロカルビル基である；対イオンＸ−はいずれかの柔軟剤適合性アニオン、例えばクロリド、ブロミド、メチル硫酸、ギ酸、硫酸、硝酸等である。
　Ｅ（１）の生分解性柔軟活性剤の非制限例は、Ｎ，Ｎ‐ジ（タロウオイルオキシエチル）‐Ｎ，Ｎ−ジメチルアンモニウムクロリド及びＮ，Ｎ‐ジ（タロウオキシエチル）‐Ｎ‐（２‐ヒドロキシエチル）‐Ｎ‐メチルアンモニウムメチルサルフェートである。
　Ｅ（２）の生分解性柔軟活性剤の非制限例は、１，２‐ジタロウオイルオキシ‐３‐トリメチルアンモニオプロパンクロリドである。
　完全飽和アルキル基（Ｒ２）で作られたＥＱＡ化合物は急速生分解性で、優れた柔軟剤である。しかしながら、少くとも部分的に不飽和のアルキル基で作られた化合物は多くの利点（即ち、濃縮性及び良好な貯蔵粘度）を有しており、消費製品として高度に許容される。不飽和アルキル基を有したＥＱＡは、飽和アルキル基を有したＥＱＡと比較して、改善された布帛水吸収性も与える。
　不飽和アシル基を用いた最大効果を得るために調整されねばならない可変要素には、脂肪酸のヨウ素価（ＩＶ）、脂肪アシル基のシス／トランス異性体重量比と、脂肪酸及び／又はＥＱＡの臭気がある。以下のＩＶ価への言及は脂肪アシル／アルキル基のＩＶに関するもので、得られるＥＱＡ化合物に関するものではない。
　脂肪アシル基のＩＶが約２０以上であるとき、ＥＱＡは優れた静電気防止効果を発揮する。静電気防止効果は布帛がタンブルドライヤーで乾燥される場合、及び／又は静電気を生じる合成物質が用いられる場合に特に重要である。最大静電気抑制は約２０以上、好ましくは約４０以上のＩＶで起きる。完全飽和ＥＱＡ組成物が用いられるときには、静電気抑制力は乏しい。しかも、柔軟剤濃度の高い処方ほど典型的に高いヨウ素価を要する。濃縮性の効果には、パッケージング物質の使用量減少、有機溶媒、特に揮発性有機溶媒の使用量減少、性能に何も影響しない濃縮助剤の使用量減少等がある。
　ＩＶが上がると、臭気問題の可能性がある。獣脂のような脂肪酸の一部の高度に望ましい易入手源は、原料獣脂を最終ＥＱＡに変換する化学的及び機械的加工処理ステップにもかかわらず、化合物ＥＱＡに残存する臭気を有している。このような供給源は、当業界で周知のように、例えば吸収、蒸留（スチーム除去のような除去を含む）等により脱臭されねばならない。加えて、酸化防止剤、抗菌剤等を加えることにより、酸素及び／又は細菌への生じる脂肪アシル基の接触を最少に抑える注意が払われねばならない。不飽和脂肪アシル基にかけた余分な費用及び努力は、優れた濃縮性及び／又は性能により正当化される。例えば、不飽和脂肪アシル基を有するＥＱＡは、追加濃縮助剤、特に界面活性濃縮助剤の必要性なしに、約１３％以上濃縮することができる。
　高度不飽和脂肪アシル基、即ち約６５重量％以上の全不飽和率を有する脂肪アシル基から誘導されたＥＱＡは、静電気防止性についていかなる追加改善も示さない。しかしながら、それらは布帛の改善された水吸収性のような他の効果を発揮できるかもしれない。一般的に、約４０〜約６５のＩＶ範囲が濃縮性、脂肪アシル源の最大化、優れた柔軟性、静電気抑制等にとり好ましい。
　ジエステル化合物の高濃縮水性分散液は低温（４０°Ｆ、約４℃）貯蔵中にゲル化及び／又は増粘化しうる。不飽和脂肪酸のみから作られたジエステル化合物はこの問題を最少に抑えるが、逆に悪臭形成をもっと起こしやすくなる。約５〜約２５、好ましくは約１０〜約２５、更に好ましくは約１５〜約２０のＩＶと、約３０／７０以上、好ましくは約５０／５０以上、更に好ましくは約７０／３０以上のシス／トランス異性体重量比を有する脂肪酸から作られるジエステル化合物を含有した組成物は低温で貯蔵安定性であり、臭気形成も最少である。これらのシス／トランス異性体重量比はこれらのＩＶ範囲で最良濃縮性を示す。約２５以上のＩＶ範囲のとき、シス対トランス異性体の比率はもっと高い濃度が必要とされないかぎりさほど重要でない。いかなるＩＶでも、水性組成物で安定である濃度は安定性に関する基準（例えば、約５℃に下がるまで安定；０℃に下がるまで安定；ゲル化しない；ゲル化しても、加熱で回復する；等）及び存在する他成分に依存するが、安定である濃度は望ましい安定性を得るために濃縮助剤を加えることで高めることができる。
　通常、多不飽和を減少させかつＩＶを低下させて、良好な色と改善された香気及び香気安定性を保証するための、脂肪酸の水素付加によれば、分子中で高度のトランス配置にできる。しかしながら、低ＩＶ値を有する脂肪アシル基から誘導されるジエステル化合物は、約５〜約２５のＩＶとなる比率で完全水素付加脂肪酸を低水素付加脂肪酸と混合することにより得られる。低硬化脂肪酸の多不飽和含有率は約５％以下、好ましくは約１％以下であるべきである。低硬化中に、シス／トランス異性体重量比は、例えば最適の混合により特別な触媒を用いて高Ｈ２利用性を図る等の、当業界で知られる方法によりコントロールされる。高いシス／トランス異性体重量比の低硬化脂肪酸は市販されている（即ち、ＦＩＮＡからＲａｄｉａｃｉｄ　４０６）。
　Ｒ２はアルコキシル又はヒドロキシル基のような様々な基で場合により置換できることが理解されるであろう。好ましい化合物の一部は、汎用布帛柔軟剤であるジタロウジメチルアンモニウムクロリド（ＤＴＤＭＡＣ）のジエステルバリエーションであると考えることができる。好ましくは、ＥＱＡの少くとも約８０％がジエステルである。好ましくは約２０％以下、更に好ましくは約１０％以下がＥＱＡモノエステル（例えば、１つだけの‐Ｙ‐Ｒ２基）であるべきだ。
　本明細書で用いられるように、ジエステルが記載されているとき、それには通常存在するモノエステルを含めている。モノエステルのレベルはＥＱＡの製造に際してコントロールできる。好ましくは、わずかなモノエステルが存在している。ジエステル対モノエステルの全体比率は約１００：１〜約２：１、好ましくは約５０：１〜約５：１、更に好ましくは約１３：１〜約８：１である。高洗剤キャリーオーバー条件下において、ジ／モノエステル比は好ましくは約１１：１である。
　本発明の液体組成物は、典型的には約０．５〜約５０％、好ましくは約１〜約３５％、更に好ましくは約４〜約３２％の生分解性ジエステル四級アンモニウム柔軟活性剤を含有している。
　後で記載されるような本発明の粒状固形顆粒組成物は、典型的には約５０〜約９５％、好ましくは約６０〜約９０％の生分解性ジエステル四級アンモニウム柔軟活性剤を含有している。
　（Ｂ）
塩素スカベンジャー
　塩素スカベンジャーとは、塩素、又は次亜塩素酸塩のような塩素発生物質と反応して、塩素物質の漂白活性を消失又は減少させる活性剤である。すすぎ液添加布帛柔軟剤組成物の場合には、すすぎ水中で約１０ｐｐｍの塩素を中和する、好ましくは約４ｐｐｍの塩素を中和する、更に好ましくは約２ｐｐｍの塩素を中和する、更に一層好ましくはすすぎ水中で約１ｐｐｍを中和するために十分な塩素スカベンジャーを配合することが適切である。洗浄中における塩素漂白剤の使用からの布帛塩素臭の消失又は減少のために、すすぎ液添加布帛柔軟剤組成物はすすぎ水中で約１０ｐｐｍを中和するために十分な塩素スカベンジャーを含有しているべきである。
　典型的には、本発明の柔軟剤組成物は平均すすぎ浴中に存在する約０．１〜約４０ｐｐｍ、好ましくは約０．２〜約２０ｐｐｍ、更に好ましくは約０．３〜約１０ｐｐｍの塩素と反応するために十分な塩素スカベンジャーを供給する。本発明の液体柔軟剤組成物中における塩素スカベンジャーの適切なレベルは、
約０．０１〜約１０％、好ましくは約０．０２〜約５％、最も好ましくは
約０．０３〜約４％の範囲である。スカベンジャーのカチオン及びアニオン双方が塩素と反応するならば、その方が望ましいけれども、そのレベルは相当量の有効塩素と反応するように調整される。
　塩素スカベンジャーの非制限例には、アミン、好ましくは一級及び二級脂肪アミンを含めた一級及び二級アミンと、アルカノールアミン；アンモニウム塩、これは塩化アンモニウム、臭化アンモニウム、クエン酸アンモニウム、硫酸アンモニウムとそれらの混合物からなる群から選択される；アミン官能ポリマー；アミノ基を有するアミノ酸ホモポリマー及びそれらの塩、例えばポリアルギニン、ポリリジン、ポリヒスチジン；アミノ基を有するアミノ酸コポリマー及びそれらの塩、但し１，５‐ジアンモニウム‐２‐メチルパンテンジクロリドでもリジン一塩酸塩でもない；アミノ酸及びそれらの塩、好ましくは１分子当たり２以上のアミノ
基を有したもの、例えばアルギニン、ヒスチジン、但し、亜硫酸、重亜硫酸、チオ硫酸、亜硝酸のようなアニオンを還元するリジン以外；酸化防止剤、例えばアスコルベート、カルバメート、フェノール類；それらの混合物がある。
　好ましい塩素スカベンジャーは水溶性、特に低揮発性の低分子量一級及び二級アミン、例えばモノエタノールアミン、ジエタノールアミン、トリス（ヒドロキシメチル）アミノメタン、ヘキサメチレンンテトラミンである。これらのアミンは、たとえそれらの固有アルカリ度を中和する上でより多くの酸の添加を要するとしても、高度に望ましい。
　適切な塩素スカベンジャーポリマーには、水溶性アミン官能ポリマー、例えばポリエチレンイミン、ポリアミン、ポリアミンアミド、ポリアクリルアミド及びそれらの混合物がある。好ましいポリマーはポリエチレンイミン、ポリアミン、但しジ（高級アルキル）環式アミン及びそれらの縮合生成物以外と、ポリアミンアミドである。本発明の布帛柔軟化組成物で使用上好ましいポリマーは、ポリエチレンイミンである。好ましいポリエチレンイミンは約２０００以下、更に好ましくは約２００〜約１５００の分子量を有する。
　本発明の液体すすぎ液添加布帛柔軟剤組成物で使用上好ましい塩素スカベンジャーは、水溶性液体又は固体物質である。本発明の固形すすぎ液添加布帛柔軟剤組成物で使用の塩素スカベンジャーは、好ましくは固体、例えば水溶性アミン、アミン塩及び／又はポリマーである。塩素スカベンジングアミン官能物質は、それらが組成物中に加えられる前に、酸で中和されることが好ましい。この中和が実際にアミンをアンモニウム塩に変換する。液体組成物と、液体に再調製しうる固形組成物の場合に、無機多価アニオン、例えば硫酸、リン酸を含む塩素スカベンジャーは液体組成物のイオン強度を有意に増加させ、このため不都合な組成物粘度、例えばゲル化を起こす可能性がある。一般的に、液体組成物と、液体に再調製しうる固形組成物の場合に、好ましいポリマー塩素スカベンジャーは約５０００以下、更に好ましくは約２００〜約２０００、更に一層好ましくは約２００〜約１０００の平均分子量を有する。低分子量ポリマーの方が布帛から除去されやすいため、塩素スカベンジャーの蓄積と、ひいては布帛の変色を起こしにくい。
　過酸化水素及び過酸化水素発生物質、例えば過ホウ酸、過炭酸、過カルボン酸が塩素スカベンジャーとして働く。しかしながら、それら自体が布帛色あせを起こす可能性があるため、それらは本発明の範囲外である。
　塩素スカベンジャー及び布帛柔軟活性剤を含有した布帛柔軟剤組成物は、これら２物質の比率及び割合を様々に変えて提供できる。勿論、塩素スカベンジャーの量は、すすぎサイクルで予想される残留塩素のレベルに応じて変えることができる。
　（Ｃ）
任意の粘度／分散性調整剤
　粘度／分散性調整剤は、本発明の布帛柔軟化組成物を濃縮させる目的で加えることができる。
（１）
単一長鎖アルキルカチオン系界面活性剤
　モノ長鎖アルキル（水溶性）カチオン系界面活性剤は：
　（ａ）粒状顆粒組成物の場合、０〜約３０％、好ましくは約３〜約１５％、更に好ましくは約５〜約１５％のレベルであり、
　（ｂ）液体組成物の場合、０〜約３０％、好ましくは約０．５〜約１０％のレベルである（存在する全単一長鎖カチオン系界面活性剤は少くとも有効レベルである）。
　本発明で有用なこのようなモノ長鎖アルキルカチオン系界面活性剤は、好ましくは下記一般式の四級アンモニウム塩である：
　〔Ｒ３Ｎ（＋）Ｒ３〕Ｘ（−）
上記式中各Ｒ基はＣ１−Ｃ３アルキル又はヒドロキシアルキル基、例えばメチル、エチル、ヒドロキシエチル等、水素とそれらの混合である；Ｒ３基はＣ１０−Ｃ２２炭化水素基、好ましくはＣ１２−Ｃ１８アルキル基、又はエステル結合鎖及びＮ間で短いアルキレン（Ｃ１−Ｃ４）基で遮断されてかつ類似炭化水素基を有した対応エステル結合鎖、例えばコリンの脂肪酸エステル、好ましくはＣ１２‐Ｃ１４（ココ）コリンエステル及び／又はＣ１６−Ｃ１８タロウコリンエステルである。各Ｒ及びＸ（−）は前記と同様の意味を有する。
　上記範囲は、本発明の組成物に加えられる単一長鎖アルキルカチオン系界面活性剤の量を表す。その範囲には成分（Ａ）、ジエステル四級アンモニウム化合物に既に存在するモノエステルの量を含まず、全存在量は少くとも有効レベルである。
　単一長鎖アルキルカチオン系界面活性剤の長鎖基Ｒ３は、典型的には約１０〜約２２の炭素原子、固形組成物の場合で好ましくは約１２〜約１６の炭素原子、液体組成物の場合で好ましくは約１２〜約１８の炭素原子を有するアルキル基を含んでいる。このＲ３基は、親水性、生分解性等の増加にとり望ましいエステル、アミド、エーテル、アミン等、好ましくはエステル結合基を１以上含んだ基を介して、カチオン性窒素原子に結合させることができる。このような結合基はその窒素原子に対して約３以内の炭素原子であることが好ましい。長鎖中にエステル結合鎖を含んだ適切な生分解性単一長鎖アルキルカチオン系界面活性剤は、１９８９年６月２０日付で発行されたＨａｒｄｙ及びＷａｌｌｅｙの米国特許第４，８４０，７３８号明細書で記載されており、上記特許は参考のため本明細書に組み込まれる。
　対応非四級アミンが用いられるならば、エステル基を安定化させるために加えられたいかなる酸（好ましくは、鉱酸又はポリカルボン酸）も、アミンがカチオン基を有するように、組成物中で、好ましくはすすぎ液中でアミンをプロトン化させておける。組成物は、水性液体濃縮製品で適切な有効電荷密度を維持するために、例えば低濃縮製品を形成する上で更なる希釈時に及び／又は洗濯プロセスのすすぎサイクルヘの添加時に、約２〜約５、好ましくは約２〜約４のｐＨに調整される。
　水溶性カチオン系界面活性剤の主要機能は、組成物の粘度を下げること及び／又はジエステル柔軟剤化合物の分散性を増加させることであると理解され、したがってこれはそのケースではないかもしれないが、カチオン系界面活性剤自体が実質的に柔軟化させる性質を有していることは必須ではない。しかも、単一長鎖アルキル鎖のみを有する界面活性剤は、おそらくそれらが水に大きな溶解度を有しているため、すすぎ液中に繰り越されたアニオン系界面活性剤及び／又は洗浄ビルダーと相互作用しないように、ジエステル柔軟剤を保護することができる。
　単一のＣ１２‐Ｃ３０アルキル鎖を有するアルキルイミダゾリン、イミダゾリニウム、ピリジン及びピリジニウム塩のような環構造をした他のカチオン系物質も使用できる。非常に低いｐＨが、例えばイミダゾリン環構造を安定化させるために要求される。
本発明で有用な一部のアルキルイミダゾリニウム塩は下記一般式を有する：
上記式中Ｙ２‐Ｃ（Ｏ）‐Ｏ‐、‐Ｏ‐（Ｏ）‐Ｃ‐、‐Ｃ（Ｏ）‐Ｎ（Ｒ７）又は‐Ｎ（Ｒ７）‐Ｃ（Ｏ）‐であって、ここでＲ７は水素又はＣ１‐Ｃ４アルキル基であり、Ｒ５はＣ１‐Ｃ４アルキル基であり、Ｒ４及びＲ６は単一長鎖カチオン系界面活性剤について前記されたＲ及びＲ３から各々独立して選択されるが、但し１つだけはＲ３であり、Ｘ（−）は前記と同様の意味を有する。
本発明で有用な一部のアルキルピリジニウム塩は下記一般式を有する：
上記式中Ｒ３及びＸ（−）は前記のとおりである。このタイプの典型的物質はセチルピリジニウムクロリドである。
　アミンオキシドも使用できる。適切なアミンオキシドには、炭素原子約８〜約２２、好ましくは炭素原子約１０〜約１８、更に好ましくは炭素原子約８〜約１４の１つのアルキル又はヒドロキシアルキル部分と、炭素原子約１〜約３のアルキル基及びヒドロキシアルキル基からなる群より選択される２つのアルキル部分を有したものがある。
　例としては、ジメチルオクチルアミンオキシド、ジエチルデシルアミンオキシド、ビス（２‐ヒドロキシエチル）ドデシルアミンオキシド、ジメチルドデシルアミンオキシド、ジプロピルテトラデシルアミンオキシド、メチルエチルヘキサデシルアミンオキシド、ジメチル‐２‐ヒドロキシオクタデシルアミンオキシド及びココナツ脂肪アルキルジメチルアミンオキシドがある。
（２）
ノニオン系界面活性剤（アルコキシル化物質）
　粘度／分散性調整剤として働く適切なノニオン系界面活性剤には、エチレンオキシド、場合によりプロピレンオキシドと、脂肪アルコール、脂肪酸、脂肪アミン等との付加生成物がある。それらはエトキシル化脂肪アルコール、エトキシル化脂肪酸及びエトキシル化脂肪アミンと称される。
　後で記載される具体的タイプのアルコキシル化物質はいずれもノニオン系界面活性剤として使用できる。一般的に、このノニオン系は単独で用いられるとき、固形組成物の場合で約５〜約２０％、好ましくは約８〜約１５％のレベルであり、液体組成物の場合で０〜約５％、好ましくは約０．１〜約５％、更に好ましくは約０．２〜約３％のレベルである。適切な化合物は、下記一般式の実質的に水溶性の界面活性剤である：
　Ｒ２‐Ｙ３‐（Ｃ２Ｈ４Ｏ）ｎ‐Ｃ２Ｈ４ＯＨ
上記式中Ｒ２は固形及び液体双方の組成物で一級、二級及び分岐鎖アルキル及び／又はアシルヒドロカルビル基；一級、二級及び分岐鎖アルケニルヒドロカルビル基；一級、二級及び分岐鎖アルキル‐及びアルケニル‐置換フェノール系ヒドロカルビル基からなる群より選択され、上記ヒドロカルビル基は炭素原子約８〜約２０、好ましくは約１０〜約１８のヒドロカルビル鎖長を有している。更に好ましくは、ヒドロカルビル鎖長は液体組成物の場合で約１６〜約１８の炭素原子、固形組成物の場合で約１０〜約１４の炭素原子である。本エトキシル化ノニオン系界面活性剤に関する一般式において、Ｙ３は典型的には‐Ｏ‐、
‐Ｃ（Ｏ）Ｏ‐、‐Ｃ（Ｏ）Ｎ（Ｒ）‐又は‐Ｃ（Ｏ）Ｎ（Ｒ）Ｒ‐であり、Ｒ２及びＲは存在するとき前記の意味を有し、及び／又はＲは水素であり、ｎは少くとも約８、好ましくは少くとも約１０〜１１である。柔軟剤組成物の性能と、通常安定性は、エトキシレート基がそれ以下で存在するとき減少する。
　本ノニオン系界面活性剤は約７〜約２０、好ましくは約８〜約１５のＨＬＢ（親水性‐親油性バランス）により特徴付けされる。勿論、Ｒ２とエトキシレート基の数を規定することにより、界面活性剤のＨＬＢが一般的に決定される。しかしながら、本発明で有用なノニオン系エトキシル化界面活性剤は濃縮液体組成物の場合に比較的長鎖のＲ２基を含み、比較的高度にエトキシル化されていることが注記される。短いエトキシル化基を有する短アルキル鎖界面活性剤も必須ＨＬＢを有するが、それらは本発明で有効としてではない。
　粘度／分散性調整剤としてのノニオン系界面活性剤は、香料が高レベルの組成物の場合に、本明細書で開示された他の調整剤よりも好ましい。
　ノニオン系界面活性剤の例は以下である。本発明のノニオン系界面活性剤はこれらの例に限定されない。例中で、整数は分子中におけるエトキシル（ＥＯ）基の数を表す。
（３）
直鎖一級アルコールアルコキシレート
　本明細書で記載された範囲内のＨＬＢを有するｎ‐ヘキサデカノール及びｎ‐オクタデカノールのデカ、ウンデカ、ドデカ、テトラデカ及びペンタデカ‐エトキシレートが、本発明の関係において有用な粘度／分散性調整剤である。組成物の粘度／分散性調整剤として本発明で有用な例示エトキシル化一級アルコールはｎ‐Ｃ１８ＥＯ（１０）及びｎ‐Ｃ１０ＥＯ（１１）である。“タロウ”鎖長範囲にある混合天然又は合成アルコールのエトキシレートも本発明では有用である。このような物質の具体例には、タロウアルコール‐ＥＯ（１１）、タロウアルコール‐ＥＯ（１８）及びタロウアルコール‐ＥＯ（２５）がある。
（４）
直鎖二級アルコールアルコキシレート
　本明細書で記載された範囲内のＨＬＢを有する３‐ヘキサデカノール、２‐オクタデカノール、４‐エイコサノール及び５‐エイコサノールのデカ、ウンデカ、ドデカ、テトラデカ、ペンタデカ、オクタデカ及びノナデカ‐エトキシレートが、本発明の関係において有用な粘度／分散性調整剤である。組成物の粘度／分散性調整剤として本発明で有用な例示エトキシル化二級アルコールは、２‐Ｃ１６ＥＯ（１１）、２−Ｃ２０ＥＯ（１１）及び２−Ｃ１６ＥＯ（１４）である。
（５）
アルキルフェノールアルコキシレート
　アルコールアルコキシレートの場合にように、本明細書で記載された範囲内のＨＬＢを有するアルキル化フェノール、特に一価アルキルフェノールのヘキサ〜オクタデカ‐エトキシレートが、本組成物の粘度／分散性調整剤として有用である。ｐ‐トリデシルフェノール、ｍ‐ペンタデシルフェノール等のヘキサ〜オクタデカ‐エトキシレートが本発明では有用である。混合物の粘度／分散性調整剤として本発明で有用な例示エトキシル化アルキルフェノールは、ｐ‐トリデシルフェノールＥＯ（１１）及びｐ‐ペンタデシルフェノールＥＯ（１８）である。
　本発明で用いられ、当業界で通常認識されているように、ノニオン式中のフェニレン基は２〜４の炭素原子を含むアルキレン基の相当物である。本目的にとり、フェニレン基を含むノニオン系は、アルキル基中の炭素原子＋各フェニレン基につき炭素原子約３．３の合計として計算された、相当数の炭素原子を含むと考えられる。
（６）
オレフィン性アルコキシレート
　すぐ上で開示されたものに相当する、一級及び二級双方のアルケニルアルコールとアルケニルフェノールも、本明細書で記載された範囲内のＨＬＢまでエトキシル化させて、本組成物の粘度／分散性調整剤として使用できる。
（７）
分岐鎖アルコキシレート
　周知“ＯＸＯ”プロセスから入手できる分岐鎖一級及び二級アルコールもエトキシル化させて、本組成物の粘度／分散性調整剤として使用できる。
　上記エトキシル化ノニオン系界面活性剤は本組成物において単独でも又は組合せでも有用であり、“ノニオン系界面活性剤”という用語には混合ノニオン系界面活性剤を含む。
（８）
混合物
　“混合物”という用語には、ＤＥＱＡ中に存在するモノエステルに加えて、組成物に加えられるノニオン系界面活性剤及び単一長鎖アルキルカチオン系界面活性剤を含む。
　上記粘度／分散性調整剤の混合物は高度に望ましい。単一長鎖カチオン系界面活性剤は、洗浄液から繰り越されたアニオン系界面活性剤及び／又は洗浄ビルダーに対して、主要ＤＥＱＡの改善された分散性と保護を示す。
　粘度／分散性調整剤の混合物は、固形組成物の場合だと組成物の約３〜約３０重量％、好ましくは約５〜約２０％、液体組成物の場合だと約０．１〜約３０％、好ましくは約０．２〜約２０％のレベルで存在する。
　（Ｄ）
任意のｐＨ調整剤
　生分解性カチオン系ジエステル四級アンモニウム布帛柔軟活性剤は加水分解に対してやや不安定であるため、安定な希釈又は濃縮液体柔軟剤組成物を形成するためには、水が加えられる固形粒状組成物中に任意のｐＨ調整剤を含有させることが好ましい。上記の再調製された安定な液体組成物は、約２〜約５、好ましくは約２〜約４．５、更に好ましくは約２〜約４のｐＨ（ニート）を有しているべきである。
　ｐＨは、固体水溶性Ｂｒｏｎｓｔｅｄ酸を配合することにより調整できる。適切なＢｒｏｎｓｔｅｄ酸の例には、ホウ酸、重硫酸ナトリウム、重硫酸カリウム、一塩基性リン酸ナトリウム、一塩基性リン酸カリウム及びそれらの混合物のような無機鉱酸；クエン酸、グルコン酸、グルタミン酸、酒石酸、フマル酸、マレイン酸、リンゴ酸、タンニン酸、グリコール酸、クロロ酢酸、フェノキシ酢酸、１，２，３，４−ブタンテトラカルボン酸、ベンゼンスルホン酸、ｏ‐トルエンスルホン酸、ｐ‐トルエンスルホン酸、フェノールスルホン酸、ナフタレンスルホン酸、ベンゼンホスホン酸、シュウ酸、１，２，４，５‐ピロメリット酸、１，２，４‐トリメリット酸、アジピン酸、安息香酸、フェニル酢酸、サリチル酸、コハク酸及びそれらの混合物のような有機酸；無機鉱酸及び有機酸の混合物がある。好ましいｐＨ調整剤はクエン酸、グルコン酸、酒石酸、リンゴ酸、１，２，３，４‐ブタンテトラカルボン酸及びそれらの混合物である。
　場合により、シクロデキストリン及びゼオライトのような固体包接化合物を形成できる物質が、酢酸、ＨＣｌ、硫酸、リン酸、硝酸等のような濃液体酸のホストキャリアとして固形粒状組成物中でアジュバントとして使用できる。リン酸、硫酸及び硝酸の包接複合体の例と、それらの製造方法は、１９８２年１２月２１日付で発行されたＳｚｅｊｔｌｉらの米国特許第４，３６５，０６１号明細書で開示されており、上記特許は参考のため本明細書に組み込まれる。
　用いられる場合、ｐＨ調整剤は典型的には約０．０１〜約２０％、好ましくは約０．１〜約１０％、更に好ましくは約０．２〜約５％のレベルで用いられる。
　（Ｅ）
液体キャリア
　本組成物で用いられる液体キャリアは、水と、場合により水に高度に可溶性な低分子量有機溶媒、例えばＣ１−Ｃ４一価及びＣ２−Ｃ６多価アルコール、アルキレングリコール、ポリアルキレングリコール、アルキレンカーボネート及びそれらの混合物を含有した水性系であることが好ましい。これら水溶性溶媒の例には、エタノール、プロパノール、イソプロパノール、ｎ‐ブチルアルコール、ｔ‐ブチルアルコール、エチレングリコール、ジエチレングリコール、プロピレングリコール、グリセロール、プロピレンカーボネート及びそれらの混合物がある。水は、その低コスト、入手可能性、安全性及び環境適合性のために好ましい液体キャリアである。水には蒸留、脱イオン又は水道水がある。水と、エタノール、プロパノール、イソプロパノール及びそれらの混合物のような低分子量短鎖アルコールの混合物も、好ましいキャリアである。
　インスタント液体組成物中における液体キャリアのレベルは、約５０％以上、好ましくは約６５％以上、更に好ましくは７０％以上である。液体キャリア中における水のレベルは、約５０重量％以上、好ましくは約８０％以上、更に好ましくは約８５％以上のキャリアである。
　発明のもう１つの面において、水は約０．５〜約５０％、好ましくは約１〜約３５％、更に好ましくは約４〜約３２％の上記ジエステル柔軟化化合物の濃度で希釈又は濃縮液体柔軟剤組成物を形成するために、粒状顆粒固形組成物に加えることができる。すすぎ浴に後で加えられる水性組成物を形成するために水を粒状固形組成物に加える効果には、輸送をより経済的にするようにより軽量で輸送できる能力と、低エネルギー量、即ち低剪断及び／又は低温ですむとして消費者に通常販売されているものと似た液体組成物を形成できる能力がある。更に、粒状顆粒固形布帛柔軟剤組成物は、消費者に直接販売されるとき、少ないパッケージング要求と、より小さくて使い捨てしやすい容器ですむ。その後で、消費者は取扱いやすい、即ち計量及び分配を簡単にする液体製品形態で、すぐに洗濯処理できる、利用できる耐久容器中に固形組成物を前希釈する。
　（Ｆ）
他の任意成分
１．
安定剤
　安定剤も本発明の組成物中に存在できる。本明細書で用いられる“安定剤”という用語には、酸化防止剤及び還元剤を含む。これらの剤は組成物の約０〜約２重量％、好ましくは約０．０１〜約０．２％、酸化防止剤の場合で更に好ましくは組成物の約０．０３５〜約０．１重量％、還元剤の場合で更に好ましくは組成物の約０．０１〜約０．２重量％のレベルで存在する。これらは溶融形で貯蔵される組成物及び化合物にとり長期貯蔵条件下で良好な香気安定性を保証する。酸化防止剤及び還元剤である安定剤の使用は無香又は低香製品（無又は低香料）にとり特に重要である。
るアスコルビン酸、アスコルビン酸パルミテート、没食子酸プロピルの混合物；
ルエン）、ＢＨＡ（ブチル化ヒドロキシアニソール）、没食子酸プロピル及びク
Ｅａｓｔｍａｎから入手できるブチル化ヒドロキシアニソール；没食子酸の長鎖エステ
それらの混合物、更に好ましくはクエン酸と混合された又は単独の
記表Ｉで掲載されている。
それらの混合物がある。
２．
無機粘度調整剤
　水溶性のイオン化しうる塩のような無機粘度調整剤も、場合により本発明の組成物中に配合できる。様々なイオン化しうる塩が使用できる。適切な塩の例は、元素の周期律表のＩＡ及びＩＩＡ族金属のハライド、例えば塩化カルシウム、塩化マグネシウム、塩化ナトリウム、臭化カリウム及び塩化リチウムである。イオン化しうる塩は、本組成物を作ってその後に望ましい粘度を得るために、諸成分の混合プロセス中で特に有用である。用いられるイオン化しうる塩の量は組成物で用いられる活性成分の量に依存し、処方者の希望に従い調節できる。組成物粘度を調節するために用いられる塩の典型的レベルは、重量で組成物の約２０〜約１０，０００ｐｐｍ、好ましくは約２０〜約４０００ｐｐｍである。
３．
シリコーン成分
　本発明の布帛柔軟化組成物は主に直鎖ポリジアルキル又はアルキルアリールシロキサンの水性エマルジョンを場合により含有しており、その場合にアルキル基は１〜５つの炭素原子を有して、全部又は一部フッ素化させることができる。これらのシロキサンは改善された布帛効果を発揮するように作用する。適切なシロキサンは、２５℃で約１００〜約１００，０００センチストークス、好ましくは約１０００〜約１２，０００センチストークスの粘度を有したポリジメチルシロキサンである。一部の適用例では、１センチストークスもの低い物質が好ましい。
　本発明の布帛柔軟化組成物は、約０．１〜約１０％のシリコーン成分を含有することができる。
４．
増粘剤
　場合により、本発明の布帛柔軟化組成物は、０〜約３％、好ましくは約０．０１〜約２％の増粘剤を含有している。適切な増粘剤の例には、セルロース誘導体、合成高分子量ポリマー（例えば、カルボキシビニルポリマー及びポリビニルアルコール）及びカチオン性グアーガムがある。
　本発明で増粘剤として機能性であるセルロース誘導体は、Ｄｏｗ　Ｃｈｅｍｉｃａｌ，Ｉｎｃ．
うなあるカチオン性セルロースエーテル誘導体として特徴付けできる。
増粘剤は、メチルセルロース、ヒドロキシプロピルメチルセルロース、ヒドロキシブチルメチルセルロース又はそれらの混合物からなる群より選択され、上記セルロース系ポリマーは２％水溶液中２０℃で約１５〜約７５，０００センチポイズの粘度を有している。
５．
汚れ放出剤
　本発明において、任意の汚れ放出剤が添加できる。本発明のプロセスにより製造される柔軟化組成物は、０〜約１０％、好ましくは約０．２〜約５％の汚れ放出剤を含有することができる。好ましくは、このような汚れ放出剤はポリマーである。本発明で有用なポリマー汚れ放出剤には、テレフタレートとポリエチレンオキシド又はポリプロピレンオキシド等とのコポリマーブロックがある。
　汚れ放出剤の更に完全な開示は、１９８７年４月２８日付で発行されたＤｅｃｋｅｒらの米国特許第４，６６１，２６７号；１９８７年１２月８日付で発行されたＧｏｓｓｅｌｉｎｋらの第４，７１１，７３０号；１９８８年６月７日付で発行されたＥｖａｎｓらの第４，７４９，５９６号；１９８９年４月４日付で発行されたＴｒｉｎｈらの第４，８１８，５６９号；１９８９年１０月３１日付で発行されたＭａｌｄｏｎａｄｏらの第４，８７７，８９６号；１９９０年９月１１日付で発行されたＧｏｓｓｅｌｉｎｋらの第４，９５６，４４７号；１９９０年１２月１１日付で発行されたＭａｌｄｏｎａｄｏらの第４，９７６，８７９号明細書に含まれており、上記すべての特許が参考のため本明細書に組み込まれる。
６．
スカム分散剤
　本発明において、任意スカム分散剤が汚れ放出剤以外に添加できる。
　本発明で好ましいスカム分散剤は、高度エトキシル化疎水性物質により形成される。疎水性物質には、脂肪アルコール、脂肪酸、脂肪アミン、脂肪酸アミド、アミンオキシド、四級アンモニウム化合物、又は汚物放出ポリマーを形成させるために用いられる疎水性物質がある。好ましいスカム分散剤は高度にエトキシル化されていて、分子当たり平均で例えば約１７モル以上、好ましくは約２５モル以上、更に好ましくは約４０モル以上のエチレンオキシドであり、ポリエチレンオキシド部分は全分子量の約７６〜約９７％、好ましくは約８１〜約９４％である。
　スカム分散剤のレベルは、使用条件下で許容される、好ましくは消費者に気付かれないレベルにスカムを保つために十分であるが、但し柔軟化に悪影響を与えるほど十分ではない。一部の目的のためには、スカムは存在しないことが望ましい。典型的洗濯プロセスの洗浄サイクルで用いられるアニオン系又はノニオン系洗剤等の量、本組成物の導入前のすすぎステップの効率と水硬度に依存して、布帛（洗濯物）に捕捉されるアニオン系又はノニオン系洗浄界面活性剤と洗浄ビルダー（特にホスフェート）の量は様々である。通常、最少量のスカム分散剤が柔軟化性質に対する悪影響を避けるために用いられるべきである。典型的には、スカム分散剤は柔軟活性剤のレベルに基づき少くとも約２％、好ましくは少くとも約４％（最大スカム回避のためには少くとも６％、好ましくは少くとも１０％）を要する。しかしながら、（柔軟剤物質に対して）約１０％以上のレベルだと、特に布帛が洗浄操作中に吸収された高割合のノニオン系界面活性剤を含んでいるときに、製品の柔軟化効力を喪失する危険がある。
である。
７．
殺菌剤
　本発明の組成物で使用される殺菌剤の例には、グルタルアルデヒド、ホルムア
Ｃｈｅｍｉｃａｌｓから販売される２‐ブロモ‐２‐ニトロプロパン‐１，３‐ジオール
５‐クロロ‐２‐メチル‐４‐イソチアゾリン‐３‐オン及び２‐メチル‐４‐イソチアゾリン‐３‐オンの混合物がある。本組成物で用いられる殺菌剤の典型的レベルは、重量で組成物の約１〜約１０００ｐｐｍである。
８．
他の任意成分
　本発明はテキスタイル処理組成物で常用される任意成分、例えばエタノール又はプロピレングリコールのような短鎖アルコール、着色剤、香料、保存剤、螢光増白剤、不透明剤、界面活性剤、グアーガム及びポリエチレングリコールのような安定剤、収縮防止剤、布帛クリスピング（ｃｒｉｓｐｉｎｇ）剤、シミ抜き剤、殺微生物剤、殺真菌剤、腐蝕防止剤等を含有することができる。
　（Ｇ）
処理方法
　本発明の組成物は、好ましくは慣用的自動洗濯操作のすすぎサイクルで用いられる。通常、すすぎ水は約５〜約６０℃の温度を有している。
　布帛又は繊維は、水浴中で有効量、通常約１０〜約３００ｍｌ（処理される繊維又は布帛３．５ｋｇ当たり）の本組成物と接触させる。勿論、用いられる量は柔軟化物質の濃度、繊維又は布帛タイプ、望まれる柔軟さの程度等に応じて、ユーザーの判断に任せられる。典型的には、約５〜約４０％生分解性カチオン系布帛柔軟活性剤分散液及び約０．００１〜約１０％塩素スカベンジャーの約１０〜約３００ｍｌが、柔軟化し、静電気防止効果を発揮し、色あせを防止又は減少させるために、混合布帛３．５ｋｇに対して約２０ガロン（約７６ｌ）洗濯すすぎ浴で用いられる。好ましくは、すすぎ浴は約２０〜約２５０ｐｐｍの布帛柔軟化物質と約０．０２〜約２０ｐｐｍの塩素スカベンジャーを含有している。更に好ましくは、米国の条件だと、すすぎ浴は約５０〜約１５０ｐｐｍの布帛柔軟化物質と約０．３〜約１０ｐｐｍの塩素スカベンジャーを含有している。更に好ましくは、欧州の条件だと、すすぎ浴は約２５０〜約４５０ｐｐｍの布帛柔軟化物質と約０．２〜約２０ｐｐｍの塩素スカベンジャーを含有している。更に好ましくは、日本の条件だと、すすぎ浴は約３０〜約８０ｐｐｍの布帛柔軟化物質と約０．２〜約１０ｐｐｍの塩素スカベンジャーを含有している。これらの濃度レベルだと、優れた布帛柔軟化、静電気抑制及び色保護を行う。
　本発明は下記非制限例で例示され、そこではすべての数値が通常の経験に合致する概算である。
（１）ジ（硬化タロウオイルオキシエチル）ジメチルアンモニウムクロリド
（２）脂肪アシル基が脂肪酸から誘導されている、約５５のＩＶ、約５３．１の不飽和％及び約８．２のＣ１８シス／トランス異性体比（シス異性体約４０．０％及びトランス異性体約４．９％）のジ（軟質タロウオイルオキシエチル）ジメチルアンモニウムクロリド；そのジエステルは約１１：１ジエステル：モノエステルの重量比でモノエステルを含む；エタノール中固形物８６％
例Ｉ−プロセス
　ＨＣｌでｐＨ２．１に既に酸性化されたモノエタノールアミン溶液
（約３０．９％）約１４ｇ及びＨＣｌ溶液（２５％）約０．７ｇを３ｌステンレススチールミックスタンク中で約７４℃に前加熱された脱イオン永約１７９０ｇに加える。ウォーターシートをＩＫＡミキサー（Ｍｏｄｅｌ　ＲＷ　２０　ＤＺＭ）により約５．１ｃｍ径ブレードの羽根車を用いて約２０００ｒｐｍでミックスする。次いで約８９℃に前加熱されたジ（硬化タロウオイルオキシエチル）ジメチルアンモニウムクロリド約１８９ｇ及びイソプロピルアルコール約８ｇの混合物を重力供給式滴下漏斗からウォーターシートにゆっくり加えて、プレミックスをミキサー羽根車の近くに注入する。柔軟剤添加直後のミックス温度は約７３℃で、ｐＨは約３．５である。更に約６．１４ｇのＨＣｌを追加して、ミックスのｐＨを約２．０に減少させる。バッチは、ミックスをなお撹拌しながらミックスを氷水浴で冷却することにより、約２３℃に冷却させる。
例ＩＩ−プロセス
　例ＩＩの製造操作は例Ｉの場合と類似しているが、但し軟質タロウ柔軟剤を硬化タロウ柔軟剤の代わりに用い、２‐アミノ‐２‐メチル‐１，３‐プロパンジオールをモノエタノールアミンの代わりに用いる。
例ＩＩＩ−プロセス
　例ＩＩＩの組成物は下記プロセスにより作る：
　１．別々に、Ｔｅｎｏｘ６酸化防止剤含有ジエステル化合物プレミックスとＨＣｌ及び消泡剤含有ウォーターシートとを約７５℃に加熱する。
　２．ジエステル化合物プレミックスをウォーターシート中に加える。注入中に、バッチをミックス及びミル化する。
　３．注入過程のほぼ中間でＣａＣｌ２の約１０％を加える。
　４．プレミックス注入が完了した後、ミックスしながらＣａＣｌ２の約４０％を加える。
　５．香料、その後色素及びＫａｔｈｏｎをミックスしながら加える。
　６．バッチを約２０〜２７℃に冷却する。
　７．ＣａＣｌ２の残り、塩化アンモニウム及び色素溶液を冷却されたバッチにミックスしながら加える。
（１）ジ（タロウオイルオキシエチル）（２‐ヒドロキシエチル）メチルアンモニウムメチルサルフェート、エタノール中８５％活性剤
（２）１，２‐ジ（硬化タロウオイルオキシ）‐３‐トリメチルアンモニウムプロパンクロリド
例ＩＶプロセス
　ＨＣｌ溶液（２５％）約４．５ｇ及びポリエチレンイミンＭＷ６００約１．５ｇを脱イオン水約８８９ｇに加え、１．５ｌステンレススチールミックスタンク中で約７０℃に前加熱する。この“ウォーターシート”をＩＫＡミキサー（Ｍｏｄｅｌ　ＲＷ２５）により約５．１ｃｍ径ブレードの羽根車を用いて約１０００ｒｐｍでミックスする。エタノール中に約８５％ヒドロキシエチルエステル四級物を含有したＳｔｅｐａｎｑｕａｔ６５８５‐ＥＴ約９８ｇを約７０℃に前加熱し、その後蠕動ポンプから羽根車ブレードの所で注入してウォーターシートにゆっくり加える。混合物をミックス中に冷却させ、香料約４．５ｇ、１．５％Ｋａｔｈｏｎ　ＣＧ溶液約０．２ｇ及び約０．８％色素溶液を混合物温度が約４５℃に達したときに加える。２５％ＣａＣｌ２溶液約０．６ｇは、混合物温度が約２７℃に達したときに加える。ミックスはバッチ温度が約２４℃に達したときに止める。
例Ｖプロセス
　ＨＣｌ溶液（２５％）約３．６ｇと、別にＨＣｌでｐＨ２．１に既に酸性化されたモノエタノールアミン溶液（約３０．９％）約７．１ｇを脱イオン水約８８７ｇに加え、１．５ｌステンレススチールミックスタンク中で約７４℃に前加熱する。ウォーターシートをＩＫＡミキサー（Ｍｏｄｅｌ　ＲＷ　２０　ＤＺＭ）により約５．１ｃｍ径ブレードの羽根車を用いて約１０００ｒｐｍでミックスする。混合物は同時にミル化する。プロピルエステル四級物約８６．７ｇ及びエタノール約１２ｇの混合物を約８２℃に前加熱し、その後ウォーターシートにゆっくり加えて、重力供給式滴下漏斗から羽根車ブレードの所で注入する。ミキサーｒｐｍはこの添加中に約１５００ｒｐｍに増加させる。ＣａＣｌ２溶液（２５％）約０．３ｇを加えて混合物の粘度を減少させ、混合物ｒｐｍを約１０００ｒｐｍに減少させる。１．５％ＫａｔｈｏｎＣＧ溶液約０．２ｇを加える。混合物をなおミックスしながら氷水浴で冷却する。ミルはこの時点で止める。２５％ＣａＣｌ２溶液０．３ｇを混合物温度が約２７℃に達したときに加える。次いで香料約３ｇをミックスしながら加える。
　粒状顆粒固形組成物は、溶融物を作り、それを冷却により固化させ、その後望ましいサイズに粉砕及び篩分けすることにより形成できる。顆粒の主要粒子は約５０〜約１０００、好ましくは約５０〜約４００、更に好ましくは約５０〜約２００ミクロンの径を有することが高度に好ましい。顆粒はそれより小さな及び大きな粒子を含んでいてもよいが、好ましくは約８５〜約９５％、更に好ましくは約９５〜約１００％は上記範囲内である。小さな及び大きな粒子は、水に加えられたときに最良のエマルジョン／分散液を形成しない。溶融物のスプレー冷却を含めた、主要粒子を製造する他の方法も使用できる。主要粒子は凝集させて、ダストフリーの非粘着易流動性粉末を形成することができる。凝集は水溶性結合剤により慣用的凝集ユニット（即ちＺｉｇ−Ｚａｇ　Ｂｌｅｎｄｅｒ，Ｌｏｄｉｇｅ）で生じさせることができる。上記凝集プロセスで有用な水溶性結合剤の例には、グリセロール、ポリエチレングリコール、ＰＶＡのようなポリマー、ポリアクリレートと、糖のような天然ポリマーがある。
　顆粒の流動性は、クレー、シリカ又はゼオライト粒子、水溶性無機塩、デンプン等のような流動改善剤で顆粒の表面を処理することにより改善できる。
（１）例ＩＩのエステル四級化合物
（２）Ｃ１６−Ｃ１８Ｅ１８
例ＶＩプロセス
　溶融ジエステルを溶融エトキシル化脂肪アルコールとミックスする。次いで他の物質をミックスしながらブレンドする。混合物を金属プレート上に注いで冷却及び固化させ、その後粉砕及び篩分けする。
例ＶＩＩ−プロセス
　ポリエチレンイミンクロリドを、まずポリエチレンイミンＭＷ６００約５部を蒸留水約３３．８６部中２５％ＨＣｌ水溶液約１２．１４部とミックスすることにより作る。次いで水を例えばフリーズドライにより除去して、エチレンイミンクロリド約８部及び水３部を含有したエチレンイミンクロリドの粘稠スラリーを得る。
　溶融ジエステルを溶融ココナツコリンエステルクロリドとミックスする。次いで他の物質をミックスしながらブレンドする。混合物を金属プレート上に注いで冷却及び固化させ、その後粉砕及び篩分けする。
（５７）【特許請求の範囲】
１．　Ｉ．（Ａ）組成物の５０〜９５重量％の生分解性カチオン系四級アンモニウム布帛柔軟化化合物；
　（Ｂ）１．好ましくは一級アミン、二級アミン、アルカノールアミン、ジアルカノールアミン及びそれらの混合物からなる群より選択されるアミン
　２．塩化アンモニウム、臭化アンモニウム、
　クエン酸アンモニウム、硫酸アンモニウム及びそれらの混合物からなる群より選択されるアンモニウム塩
　３．アミノ酸、但しリジン以外
　４．ポリアミノ酸
　５．ポリエチレンイミン、好ましくは２０００以下の分子量を有する、更に好ましくは２００〜１５００の分子量を有するポリエチレンイミン
　６．ポリアミン、但しジ（高級アルキル）環式アミンでもそれらの縮合生成物でもない
　７．ポリアミンアミド、好ましくは５０００以下の分子量を有するポリアミンアミド
　８．ポリアクリルアミド、好ましくは５０００以下の分子量を有するポリアクリルアミド及び
　９．それらの混合物
　からなる群より選択される、有効量、好ましくは組成物の０．０１〜１０重量％、更に好ましくは０．０２〜６％、最も好ましくは０．０３〜５％の塩素スカベンジャー；
　（Ｃ）好ましくは単一長鎖アルキルカチオン系界面活性剤、脂肪酸コリンエステル、脂肪アミンアミド、ノニオン系界面活性剤及びそれらの混合物からなる群より選択される、組成物の０〜３０重量％の粘度、分散性又は双方の調整剤；及び
　（Ｄ）組成物の０〜２０重量％のｐＨ調整剤（好ましくは上記ｐＨ調整剤はＢｒｏｎｓｔｅａｄ酸であり、更に好ましくは上記ｐＨ調整剤はクエン酸、グルコン酸、酒石酸、１，２，３，４−ブタンテトラカルボン酸及びそれらの混合物からなる群より選択される）
　を含んでなる固形粒状組成物と、
ＩＩ．（Ａ）組成物の０．５〜５０重量％の生分解性カチオン系四級アンモニウム布帛柔軟化化合物；
　（Ｂ）１．好ましくは一級アミン、二級アミン、アルカノールアミン、ジアルカノールアミン及びそれらの混合物からなる群より選択されるアミン
　２．塩化アンモニウム、臭化アンモニウム、
　クエン酸アンモニウム、硫酸アンモニウム及びそれらの混合物からなる群より選択されるアンモニウム塩
　３．アミノ酸、但しリジン以外
　４．ポリアミノ酸
　５．ポリエチレンイミン、好ましくは２０００以下の分子量を有する、更に好ましくは２００〜１５００の分子量を有するポリエチレンイミン
　６．ポリアミン、但しジ（高級アルキル）環式アミンでもそれらの縮合生成物でもない
　７．ポリアミンアミド、好ましくは５０００以下の分子量を有するポリアミンアミド
　８．ポリアクリルアミド、好ましくは５０００以下の分子量を有するポリアクリルアミド及び
　９．それらの混合物
　からなる群より選択される、有効量、好ましくは組成物の０．０１〜１０重量％、更に好ましくは０．０２〜６％、最も好ましくは０．０３〜５％の水溶性塩素スカベンジャー；
　（Ｃ）好ましくは単一長鎖アルキルカチオン系界面活性剤、脂肪酸コリンエステル、脂肪アミンアミド、ノニオン系界面活性剤及びそれらの混合物からなる群より選択される、組成物の０〜３０重量％の粘度、分散性又は双方の調整剤；及び
　（Ｄ）水、Ｃ１‐Ｃ４一価アルコール、Ｃ２‐Ｃ８多価アルコール、
　液体ポリアルキレングリコール、プロピレンカーボネート及びそれらの混合物からなる群より選択される液体キャリアからなる残部
　を含んでなる液体組成物（該液体組成物は２〜５のｐＨを有している）からなる群より選択される、すすぎ液添加布帛柔軟化組成物。
　２．　生分解性カチオン系柔軟活性剤が下記一般式：
　Ｅｐ＋〔Ｙ‐Ｒ２〕ｍｐＸ−
（上記式中
ｐは１又は２、好ましくは１である；
ｍは２又は３、好ましくは２である；
各Ｅは電荷ｐ＋の窒素四級アンモニウム基である；
各Ｙは‐Ｏ‐（Ｏ）Ｃ‐又は‐Ｃ（Ｏ）‐Ｏ‐である；
各Ｒ２はＣ１１−Ｃ２２ヒドロカルビル又は置換ヒドロカルビル置換基、好ましくはＣ１５−Ｃ１７ヒドロカルビル又は置換ヒドロカルビル置換基である；及び
各Ｘ−は柔軟剤適合性アニオン、好ましくはクロリド、ブロミド、メチル硫酸、エチル硫酸、ギ酸、硝酸及びそれらの混合からなる群より選択されるアニオンである）
を有している、請求項１に記載の組成物。
　３．　調整剤がエトキシル化脂肪酸、エトキシル化脂肪アルコール、エトキシル化脂肪アミン及びそれらの混合物からなる群より選択されるノニオン系界面活性剤からなる群より選択される、請求項１に記載の組成物。
　４．　液体キャリアが水からなる、請求項１に記載の組成物。
　５．　液体キャリアが、水と、エタノール、プロパノール、イソプロパノール、及びそれらの混合物からなる群より選択される低分子量アルコールとの混合液である、請求項１に記載の組成物。
　６．　（Ａ）組成物の５０〜９５重量％、好ましくは６０〜９０％の、下記式を有する生分解性カチオン系柔軟活性剤：
Ｅｐ＋［Ｙ‐Ｒ２〕ｍｐＸ−
　（上記式中
　ｐは１又は２、好ましくは１である；
　ｍは２又は３、好ましくは２である；
　各Ｅは電荷ｐ＋の窒素四級アンモニウム基である；
　各Ｙは‐Ｏ‐（Ｏ）Ｃ‐又は‐Ｃ（Ｏ）‐Ｏ‐である；
　各Ｒ２はＣ１１‐Ｃ２２ヒドロカルビル又は置換ヒドロカルビル置換基、
　好ましくはＣ１５−Ｃ１７ヒドロカルビル又は置換ヒドロカルビル置換基である；及び
　各Ｘ−は、好ましくはクロリド、ブロミド、メチル硫酸、エチル硫酸、ギ酸、硝酸及びそれらの混合からなる群より選択される柔軟剤適合性アニオンである）；
（Ｂ）１．好ましくは一級アミン、二級アミン、アルカノールアミン、ジアルカノールアミン及びそれらの混合物からなる群より選択されるアミン
　２．塩化アンモニウム、臭化アンモニウム、
　クエン酸アンモニウム、硫酸アンモニウム及びそれらの混合物からなる群より選択されるアンモニウム塩
　３．アミノ酸、但しリジン以外
　４．ポリアミノ酸
　５．ポリエチレンイミン
　６．ポリアミン、但しジ（高級アルキル）環式アミンでもそれらの縮合生成物でもない
　７．ポリアミンアミド
　８．ポリアクリルアミド及び
　９．それらの混合物
　からなる群より選択される、有効量、好ましくは組成物の０．０１〜１０重量％の塩素スカベンジャー；
　（Ｃ）組成物の３〜３０重量％の粘度、分散性又は双方の調整剤；及び
　（Ｄ）組成物の０．０１〜２０重量％、好ましくは０．２〜５％のｐＨ調整剤
を含んでなる、すすぎ液添加固形粒状布帛柔軟化組成物。
　７．　ｐＨ調整剤が、好ましくはクエン酸グルコン酸、酒石酸、リンゴ酸、１，２，３，４‐ブタンテトラカルボン酸及びそれらの混合物からなる群より選択される固形水溶性Ｂｒｏｎｓｔｅａｄ酸である、請求項６に記載の組成物。
　８．　（Ａ）組成物の０．０５〜５０重量％、好ましくは１５〜３２％の、下記一般式を有するカチオン系生分解性四級アンモニウム布帛柔軟化化合物：
　Ｅｐ＋〔Ｙ‐Ｒ２〕ｍｐＸ−
　（上記式中
　ｐは１又は２、好ましくは１である；
　ｍは２又は３、好ましくは２である；
　各Ｅは電荷ｐ＋の窒素四級アンモニウム基である；
　各Ｙは‐Ｏ‐（Ｏ）Ｃ‐又は‐Ｃ（Ｏ）‐Ｏ‐である；
　各Ｒ２はＣ１１−Ｃ２２ヒドロカルビル又は置換ヒドロカルビル置換基、
　好ましくはＣ１５−Ｃ１７ヒドロカルビル又は置換ヒドロカルビル置換基である；及び
　各Ｘ−は、好ましくはクロリド、ブロミド、メチル硫酸、エチル硫酸、ギ酸、硝酸及びそれらの混合からなる群より選択される柔軟剤適合性アニオンである）；
　（Ｂ）１．モノエタノールアミン、ジエタノールアミン、トリス（ヒドロキシメチル）アミノメタン、ヘキサメチレンテトラミン、及びそれらの混合物からなる群より選択されるアミン
　２．塩化アンモニウム、臭化アンモニウム、
　クエン酸アンモニウム、硫酸アンモニウム及びそれらの混合物からなる群より選択されるアンモニウム塩
　３．アミノ酸、但しリジン以外
　４．ポリアミノ酸
　５．ポリエチレンイミン
　６．ポリアミン、但しジ（高級アルキル）環式アミンでもそれらの縮合生成物でもない
　７．ポリアミンアミド
　８．ポリアクリルアミド及び
　９．それらの混合物
　からなる群より選択される、有効量の水溶性塩素スカベンジャー；
　（Ｃ）組成物の０〜３０重量％の粘度、分散性又は双方の調整剤；及び
　（Ｄ）水、Ｃ１‐Ｃ４一価アルコール、Ｃ２‐Ｃ６多価アルコール、
　液体ポリアルキレングリコール、プロピレンカーボネート及びそれらの混合物からなる群より選択される液体キャリアからなる残部
　を含んでなり、組成物のｐＨが２〜５である、すすぎ液添加液体布帛柔軟化組成物。
　９．　（Ａ）組成物の６０〜９０重量％の、下記一般式を有するカチオン系生分解性四級アンモニウム布帛柔軟化化合物：
　Ｅｐ＋〔Ｙ‐Ｒ２〕ｍｐＸ−
　（上記式中Ｅは電荷ｐ＋の窒素四級アンモニウム基である；
　ｐは１である；
　Ｙは‐Ｏ‐（Ｏ）Ｃ‐又は‐Ｃ（Ｏ）‐Ｏ‐である；
　ｍは２である；
　Ｒ２はＣ１５‐Ｃ１７ヒドロカルビル又は置換ヒドロカルビル置換基である；
　Ｘ−はクロリド、ブロミド、メチル硫酸、エチル硫酸、ギ酸、硝酸及びそれらの混合からなる群より選択される柔軟剤適合性アニオンである）；
　（Ｂ）組成物の０．０１〜１０重量％の、塩化アンモニウム、臭化アンモニウム、クエン酸アンモニウム、硫酸アンモニウム及びそれらの混合物からなる群がら選択されるアンモニウム塩からなる
　塩素スカベンジャー；
　（Ｃ）エトキシル化脂肪酸、エトキシル化脂肪アルコール、エトキシル化脂肪アミン及びそれらの混合物からなる群より選択されるノニオン系界面活性剤からなる群より選択される、組成物の０〜３０重量％の粘度、分散性又は双方の調整剤；及び
　（Ｄ）クエン酸、グルコン酸、酒石酸、リンゴ酸、１，２，３，４−ブタンテトラカルボン酸及びそれらの混合物からなる群より選択される、
　組成物の０．０１〜２０重量％のｐＨ調整剤
を含んでなる、固形粒状すすぎ液添加布帛柔軟化組成物。
　１０．　（Ａ）組成物の３〜５０重量％の、下記一般式を有するカチオン系生分解性四級アンモニウム布帛柔軟化化合物：
　Ｅｐ＋〔Ｙ‐Ｒ２〕ｍｐＸ−
　（上記式中Ｅは電荷ｐ＋の窒素四級アンモニウム基である；
　ｐは１である；Ｙは‐Ｏ‐（Ｏ）Ｃ‐又は‐Ｃ（Ｏ）‐Ｏ‐である；
　ｍは２である；
　Ｒ２はＣ１５‐Ｃ１７ヒドロカルビル又は置換ヒドロカルビル置換基である；
　Ｘ−はクロリド、ブロミド、メチル硫酸、エチル硫酸、ギ酸、硝酸及びそれらの混合からなる群より選択される柔軟剤適合性アニオンである）；
　（Ｂ）組成物の０．００１〜１０重量％の、塩化アンモニウム、臭化アンモニウム、クエン酸アンモニウム、硫酸アンモニウム及びそれらの混合物からなる群から選択されるアンモニウム塩からなる
　水溶性塩素スカベンジャー；
　（Ｃ）エトキシル化脂肪酸、エトキシル化脂肪アルコール、エトキシル化脂肪アミン及びそれらの混合物からなる群より選択されるノニオン系界面活性剤からなる群より選択される、組成物の０〜３０重量％の粘度、分散性又は双方の調整剤；及び
　（Ｄ）水
　を含んでなり、２〜５のｐＨを有している、液体すすぎ液添加布帛柔軟化組成物。